(57)【特許請求の範囲】
【請求項１】
電話回線を介してリモート端末とローカル端末とを接続するモデム装置において：
前記電話回線を介して受信された電話コールに関連するリング信号が入力されて，そのリング信号を２進リング信号に変換するリング検出器と；
前記受信された電話コールを処理するデータポンプと；
前記データポンプに接続されており，前記リング検出器に応答して，前記リング信号が検出されると，ノイズの原因となるパルス状の前端部を含むオフフック信号を出力する制御器と；
前記オフフック信号に含まれる前記パルス状の前端部を除去するノイズ除去回路ユニットと；
前記ノイズ除去回路ユニットから出力される前記オフフック信号に応答してモデムを駆動し，リモートデータ端末と前記モデムに接続されているローカルデータ端末との間でデータ通信を可能にし，または呼び出し電話機と呼び出された電話機との間で通話を可能にするモデムドライバと；
を含み，
前記ノイズ除去回路ユニットは，
前記制御器から出力されるオフフック信号を反転する第１インバータと；
電源電圧に応じて積分信号を発生する積分器と；
前記積分信号を反転する第２インバータと；
前記第１インバータ及び第２インバータの出力が入力され，前記オフフック信号に含まれる前記前端部を予め設定された時間にわたり除去する論理回路と；
を含むことを特徴とするモデム装置。
【請求項２】
前記ノイズ除去回路ユニットは，一定時間の間，前記オフフック信号を延長し，前記パルス状の前端部が前記モデムドライバに入力されないようにする遅延回路を含むことを特徴とする，請求項１に記載のモデム装置。
【請求項３】
前記論理回路は，前記第１及び第２インバータの出力が入力されるＯＲゲートと前記ＯＲゲートの出力を反転する第３インバータを含むことを特徴とする，請求項１に記載のモデム装置。
【請求項４】
前記第３インバータは，入力端が互いに接続されているＮＡＮＤゲートを含むことを特徴とする，請求項３に記載のモデム装置。
【請求項５】
前記積分器は，前記予め設定された時間に対応する時定数を規定する抵抗とキャパシタを含むことを特徴とする，請求項１に記載のモデム装置。
【発明の詳細な説明】
【０００１】
【発明の属する技術分野】
本発明は，モデム回路にかかり，特に，モデムの電源がオンされたり，モデムをリセットする際のノイズ発生を防止するモデム装置に関する。
【０００２】
【従来の技術】
図７は，データ端末と電話回線に接続されるインタフェース装置を構成する，従来のモデムのブロック図である。図７に示されるように，データ端末（１３）は，例えばパーソナルコンピュータとして構成できる。モデム（１０）は，各データ端末と電話ネットワークの間にインタフェース機能を提供することによって，リモートモデムに支援されたデータ端末と，電話回線上で，ディジタルデータを互いに交換できるようになる。モデム（１０）は，典型的には，電話回線（１２）に接続された電話ジャック（４０）にプラグ挿入されたり，あるいは，データ端末（１３）に内装されたり，その近辺に配置される。ディジタルデータをリモート端末（１１）に転送するために，モデム（１０）は，データ端末（１３）から提供されるディジタルデータを電話回線を介しての転送に必要なアナログ信号に変調する。そして，アナログ信号を受信した他のモデムは，受信したアナログ信号を再びディジタル信号に復調してデータ端末に転送する。
【０００３】
図７に示すように，モデムを構成する４つの主要領域には，電話インタフェース（１５），データ端末インタフェース（１４），制御器（２０），そしてデータポンプ（２２）が配される。電話インタフェース（１５）は，電話回線（１２）をモデムに接続したり，あるいは電話機や自動応答電話機のようなローカル通信装置に選択的に接続したりするものである。電話インタフェース（１５）は，一般的に，ディジタル情報を制御器（２０）に転送するリング検出器（１６）と電話回線（１２）とモデムのデータポンプ（２２）との間でアナログ情報を送受信するデータアクセスアレンジメント（ＤＡＡ）（３４）を具備している。データ端末インタフェース（１４）は，モデム（１０）をローカルデータ端末（１３）に接続させるためのものであり，データ端末インタフェース（１４）としては，外装型モデム用のシリアルインタフェースと内装型モデム用の並列インタフェースがある。
【０００４】
制御器（２０）は，モデム（１０）を動作させるためのプログラムを駆動する機能を有している。また，制御器（２０）は，データ端末インタフェース（１４）から出力されるデータを圧縮してデータポンプ（２２）に転送し，また，データポンプ（２２）から出力される圧縮データを解凍して，データ端末インタフェース（１４）へ送る機能を有している。また，データ端末（１３）は，制御器（２０）へ命令を送り，その応答を通じてモデムにアクセスする。データポンプ（２２）の選択は，基本的には制御器（２０）によって行われ，データプロトコルによってアナログ信号及びディジタル信号の間でデータを処理する。
【０００５】
データポンプ（２２）は，データ端末インタフェース（１４）から出力されるディジタルデータを電話インタフェース（１５）を介して電話回線に出力されるアナログ信号に変換したり，電話インタフェース（１５）を介して電話回線（１２）から入力されたアナログ信号をデータ端末インタフェース（１４）を介して伝送されるディジタルデータや，データポンプ（２２）や制御器（２０）に格納されるディジタルデータに変換したり，あるいは全二重通信モードで両方向への変換を同時にしたりする。データポンプ（２２）は，例えば，ファクシミリプロトコルやデータプロトコルに依拠してデータを処理することができる。「モデム（ｍｏｄｅｍ）」という用語は，変復調装置（ｍｏｄｕｌａｔｏｒ−ｄｅｍｏｄｕｌａｔｏｒ）の合成語であるが，単に「モデム」と言う場合には，変調が必要ではない音声モデムをも含むものとして広義の意味で使用されている。従って，データポンプ（２２）もまた音声ブロトコルによってデータを処理するように構成することもできる。データポンプ（２２）のファクシミリ，データ，音声プロトコルは，速度とモードを変えるように調整が可能である。
【０００６】
リモートコンピュータ（１１）に設けられたリモートモデムが，データ端末（１３）に接続されたローカルモデム（１０）と通信するように指示を受けると，リモートモデムはローカルモデム（１０)のディレクトリ番号に合わせて信号を送る。すると，電話ネットワーク(不図示)は，呼び出される電話コールに対応するリング信号をローカルモデム(１０)へ送る。ローカルモデムはリング検出器によってリング信号を検出し，受信された電話コールに応答すると，電話回線(１２)上で二つのモデムを接続するデータリンクが完成する。
【０００７】
上記のような構造を持つ従来モデムにおいて，呼び出し電話機(７０)と呼び出された電話機(６０)が接続されている場合に，呼び出された電話機(６０)が接続されているデータ通信用モデム(１０)の電源がオンにされたり，リセットされると，制御器(２０)がリセットされる。すると，ノイズとして作用する種類のパルスのオフフック信号が制御器(２０)から生成される。かかるオフフック信号が，図８に示すように，抵抗Ｒ１を介してトランジスタＱ１のべースに印加されると，モデム駆動用のモデムドライバ(３６)がすぐ作動する。その結果，電話回線(１２)上のインピーダンスが瞬間的に変化し，呼び出し電話機(７０)と呼び出された電話機(６０)の間に音声ノイズが発生するという問題がある。
【０００８】
従来技術のその他の問題点としては，呼び出し電話機(７０)すなわち，リモート端末(１１)が呼び出された電話機(６０)，すなわちデータ端末(１３)に接続されない状態で，電話ネットワーク(不図示)から出るリング信号がデータ端末(１３)に印加されてべルがなる間に，万一呼び出された電話機(６０)に接続されたモデム(１０)の電源がオンにされたり，リセットされた場合には，リモート端末(１１)は，モデム(１０)が正常作動の状態ではないにもかかわず，データ端末(１３)との通信を試みるおそれがある。これは，モデム（１０）の電源がオンされたり，リセットされたりする際に，モデム（１０）の制御器(２０)からノイズの原因となるパルスタイプのオフフック信号が発生するためである。さらに言えば，リング信号を正常に検出できない状態で，モデム(１０)によってオフフック信号が電話回線(１２)を通じてリモート端末(１１)に印加された場合に，リモート端末(１１)は，モデム(１０)が正常作動状態であると認識して，モデム(１０)との通信を試みるが，モデム(１０)は，リング検出器(１６)を通じて，正常なリング信号を検出することができない。すなわち，モデム（１０）は正常に作動できないので，リモート端末(１１)から出力される命令を認識できない。その結果，データ端末(１３)は，リモート端末（１１）から転送されるデータを受け入れないようになる。
【０００９】
【発明が解決しようとする課題】
本発明は，上記のような従来の問題点を解決するためのもので，その目的は，モデムの電源がオンされたり，リセットされた瞬間に発生するパルス状のオフフック信号の発生を防止することが可能な新規かつ改良されたモデムを提供することである。
【００１０】
本発明の別の目的は，呼び出し電話機が呼び出された電話機と接続された状態でモデムがリセットされた瞬間に発生するノイズを除去することが可能な新規かつ改良されたモデムを提供することにある。
【００１１】
本発明のさらに別の目的は，モデムが正常な作動状態ではない場合に，電源がオンされたり，リセットされたりした瞬間に発生するノイズの原因となるパルス状のオフフック信号が発生することを防止することが可能な新規かつ改良されたモデムを提供することにある。
【００１２】
【課題を解決するための手段】
上記課題を解決するために，本発明によれば，電話回線（１２）を介してリモート端末（１１）とローカル端末（１３）とを接続するモデム装置（１０）が提供される。そして，このモデム装置は，請求項１に記載のように，電話回線（１２）を介して受信された電話コールに関連するリング信号が入力されて，そのリング信号を２進リング信号に変換するリング検出器（１６）と，受信された電話コールを処理するデータポンプ（２２）と，データポンプ（２２）に接続されており，リング検出器（１６）に応答して，リング信号が検出されると，ノイズの原因となるパルス状の前端部を含むオフフック信号を出力する制御器（２０）と，オフフック信号に含まれるパルス状の前端部を除去するノイズ除去回路ユニット（５０）と，ノイズ除去回路ユニット（５０）から出力されるオフフック信号に応答してモデム（１０）を駆動し，リモートデータ端末（１１）とモデム（１０）に接続されているローカルデータ端末（１３）との間でデータ通信を可能にし，または呼び出し電話機と呼び出された電話機との間で通話を可能にするモデムドライバ（３６）とを含むことを特徴としている。
【００１３】
さらに，請求項２に記載のように，ノイズ除去回路ユニット（５０）は，一定時間の間，制御器（２２）から出力されるオフフック信号を延長し，パルス状の前端部がモデムドライバ（３６）に入力されないようにする遅延回路（５２）を含むように構成することが好ましい。
【００１４】
さらに，請求項３に記載のように，ノイズ除去回路ユニット（５０）は，制御器（２２）から出力されるオフフック信号を反転する第１インバータ（５１）と，電源電圧（Ｖｃｃ）に応じて積分信号を発生する積分器（５２）と，積分信号を反転する第２インバータ（５３）と，オフフック信号に含まれるパルス状の前端部を予め設定された時間にわたり除去する論理回路（５４，５５）とから構成することが可能である。
【００１５】
その際に，論理回路（５４，５５）は，第１及び第２インバータ（５１，５３）の出力が入力されるＯＲゲート（５４）と，そのＯＲゲート（５４）の出力を反転する第３インバータ（５５）とから構成することができる。
【００１６】
さらにまた，積分器（５２）は，予め設定された時間に対応する時定数を規定する抵抗（Ｒ２）とキャパシタ（Ｃ１）とから構成することができる。
【００１７】
さらに，第３インバータ（５５）は，入力端が互いに接続されているＮＡＮＤゲートから構成することができる。
【００１８】
【発明の実施の形態】
以下に，添付図面を参照しながら，本発明にかかるモデム装置の好適な実施形態について詳細に説明する。
【００１９】
図１には，本発明の原理を適用した新規なモデム用電話インタフェースに対応する回路図が示されている。モデム(１０)は，電話回線(１２)とデータ端末インタフェース(１４)(すなわち，コンピュータインタフェース)に連結されたデータ端末(１３)(すなわち，ユーザコンピュータ)との間を連結するインタフェースの役割をする。リモート端末(１１)(すなわち，遠隔電話機)からモデムへ送る呼び出し電話機のリング信号は，呼び出し電話機(７０)がダイアリングされる地域（ディレクトリ）番号を示す。モデム（１０）のリング検出器(１６)は，呼び出しに応じたリング信号の入力を受け，２値リング信号に変換する。そして，この２値リング信号に応じて，制御器(２０)は，データポンプユニット(２２)に，リモート端末(１１)のデータプロトコルに従い，呼び出しに応じたデータを処理させる。次いで，制御器(２０)は，電話インタフェースユニット(１５)に電話の呼出信号に応答するように指示する。
【００２０】
すなわち，制御器(２０)は，リング信号に対する応答を示すオフフック信号を生成して，ノイズ除去回路ユニット(５０)を通じて，モデム(１０)を駆動するモデムドライバ(３６)へオフフック信号ライン（３５）を介してオフフック信号を送る。そして，このオフフック信号（３５）を利用して，制御器(２０)は，同期データやファクシミリ信号を含む最小限のハンドシェーキング処理を実行する。このようにして，データポンプ(２２)は，リモート端末(１１)とローカルデータ端末(１３)との間を流通するデータを処理する。ノイズ除去回路(５０)は，図１に示すように，オフフック信号ライン(３５)中に，モデムドライバ(３６)と制御器（２０)の間に介挿されている。
【００２１】
また図３に示すように，オフフック信号は，モデム（１０）の電源がオンされたり，モデム（１０）がリセットされたりする際にも，制御器(２０)から生成される。オフフック信号は，リレー(ＲＬ)を駆動するトランジスタ(Ｑ１)をすぐにターンオンするようなパルス状の前端部を持っている。トランジスタ(Ｑ１)がパルス状の前端部によってターンオンされる間，リレー（ＲＬ）もまた作動する。その結果，電話回線(１２)のインピーダンスは，図２に示すＤＡＡ(３４)に接続される瞬間に変化する。従って，呼び出し電話機(７０)が電話回線(１２)を通じて呼び出された電話機(６０)と接続している間に，モデム(１０)の電源がオンされたり，モデム（１０）がリセットされたりすると，インピーダンスの瞬間的な変化のために，電話回線(１２)にノイズが混入するおそれがある。以上の理由により，パルス状の前端部がノイズとして作用する。
【００２２】
かかるオフフック信号のパルス状の前端部は，本実施の形態にかかる装置構成によれば，ノイズ除去回路ユニット(５０)によって効果的に除去される。本実施の形態では，ノイズ除去回路ユニット(５０）は，電話インタフェース(１５)に実装するように構成されている。しかし，ノイズ除去回路ユニット(５０)を，制御器(２０)に実装するように構成することもできる。
【００２３】
図２を参照すれば明らかなように，ノイズ除去回路ユニット(５０)は，オフフック信号を遅延する積分回路を備えており，この積分回路は，所定時間にわたり遅延されたオフフック信号をモデムドライバ(３６)へ転送するように機能する。なお，積分回路において設定される遅延時間は，オフフック信号のパルス状の前端部の間隔に対応する。以上のような構成により，パルス状の前端部は，設定された遅延時間の間は，ノイズ除去回路ユニット(５０)によって除去されるので，モデムドライバ(３６)に印加されることはない。このようにして，本実施の形態にかかる装置によれば，上述したインピーダンス変化に応じて生じたノイズの電話回線(１２)への混入が効果的に防止される。
【００２４】
すなわち，本実施の形態にかかる装置によれば，呼出電話(７０)と呼び出された電話(６０)とが電話回線(１２)を介して接続されている間に，モデム(１０)の電源がオンされたり，モデム（１０）がリセットされた場合であっても，電話回線(１２)に対するノイズの混入が効果的に防止される。ノイズ除去回路ユニット(５０)は，設定された時間の間，オフフック信号を遅延する遅延回路として機能するので，オフフック信号のパルス状の前端部がモデムドライバ（３６）に印加されることはない。
【００２５】
図２は，ノイズ除去回路ユニット(５０)の一例を詳細に示す回路図である。図示の通り，ノイズ除去回路ユニット(５０)は，オフフック信号を反転して反転されたオフフック信号を発生する第１インバータ（５１）と，積分信号を発生する積分器（５２）と，積分信号を反転して反転された積分信号を発生する第２インバータ（５３）と，オフフック信号に含まれるパルス状の前端部を予設定された時間の間（すなわち，積分器(５２)から出力される積分信号がローレベルの間），反転されたオフフック信号の前端部を除去する論理回路（５４，５５）から主に構成される。
【００２６】
さらに，論理回路（５４，５５）は，第１及び第２インバータ(５１，５３)の出力信号が入力されるＯＲゲート(５４)と，ＯＲゲート(５４)の出力信号が入力される第３インバータ（５５）を具備している。さらに，積分器(５２)は時定数を決定する抵抗Ｒ２とキャパシタＣ１を含んでいる。また，各インバータ(５１，５２，５３)は，図２に示すように，二つの入力端が互いに連結されているＮＡＮＤゲートとして構成することが可能である。インバータとして機能する各ＮＡＮＤゲートは，図４に示すように，二つのバイポーラトランジスタを利用したり，図５に示すように，二つのＦＥＴ（電界効果トランジスタ）を利用したり，あるいは，図６に示すように，二つのＴＴＬ（トランジスタートランジスタ論理）を利用して構成することができる。
【００２７】
次に，本実施の形態にかかるノイズ除去回路ユニット（５０）のノイズ除去のための動作について，図２及び図３を参照しながら詳細に説明する。図３のタイミング図に示すように，呼び出し電話機(７０)と呼び出された電話機(６０)とが電話回線（１２）を介して接続されている間に，モデム(１０)の電源がオンされたり，モデム（１０）がリセットされた直後に，制御器(２０)からオフフック信号が発生したものと仮定する。このオフフック信号は，図３に示すような，ノイズの原因となるパルス状の前端部を有しており，このオフフック信号は，図２に示すように，第１インバータ(５１)を介してＯＲゲート(５４)の一方の入力端に印加される。同時に，ＯＲゲート(５４)の他方の入力端には，第２インバータ(５３)の出力信号が入力される。
【００２８】
一方，モデム(１０)の電源がオンされたり，モデム（１０）がリセットされると，積分器(５２)が電源電圧Ｖｃｃの積分処理を開始する。すると，地点“Ａ”の電圧，すなわち，共通に接続された第２インバータ(５３)の入力端は，時定数に応じてローレベルに変化する。その後，時定数によって決定される所定時間が経過すると，図３に示すように，地点“Ａ”の電圧は徐々に上昇してハイレベルに到達する。地点“Ａ”の電圧がローレベルにある間は，地点“Ｂ”の電圧，すなわち，ＯＲゲート(５４)への入力電圧はハイレベルにある。換言すれば，地点“Ｂ”の電圧がハイレベルにある間，ＯＲゲート(５４)は，地点“Ｃ”のオフフック信号の電圧レベルに関係なしに，常にハイレベル信号を出力するので，ＯＲゲート(５４)から出力されるハイレベル信号は，第２インバータ(５３)によってローレベル信号に変換され，トランジスタＱ１のべースに印加される。その結果，トランジスタＱ１がターンオフされて，さらに，リレー(ＲＬ)がスイッチオンされて，開状態になる。この結果，ＤＡＡ(３４)に電話回線(１２)が接続されるが，呼び出し電話機(７０)が呼び出された電話機(６０)と接続中である間には，電話回線(１２)上のインピーダンスに変化は生じない。
【００２９】
積分器(５２)により設定された所定時間が満了すると，地点“Ａ”の電圧はハイレベルになり，それに応じて，地点“Ｂ”の電圧は，第２インバータ(５３)によってローレベル状態になる。すると，地点“Ｃ”の電圧は，再び，図３に示すように，第１インバータ(５１)によってローレベルに落ち始める。そして，このローレベル信号が，第２インバータ(５５)の出力信号によってハイレべル信号に変換されると，トランジスタＱ１が地点“Ｄ”のハイレベル電圧に応じてターンオンされる。このようにして，ターンオンされたトランジスタＱ１によって，リレー（ＲＬ）がスイッチオンされ，ノーマル接続状態になる。この結果，ＤＡＡ（３４）に電話回線(１２)が接続されて，ローカルコンピュータのデータ端末(１３)がモデム(１０)を介してリモートコンピュータのリモート端末に接続されることになる。
【００３０】
このように，本実施の形態にかかる装置によれば，呼出電話(７０)と呼び出された電話(６０)とが電話回線(１２)を介して接続されている間に，モデム(１０)の電源がオンされたり，モデム（１０）がリセットされた場合であっても，ノイズ除去回路ユニット（５０）の作用により，電話回線(１２)に対するノイズの混入が効果的に防止される。すなわち，ノイズ除去回路ユニット(５０)は，設定された時間の間，オフフック信号を遅延する遅延回路として機能するので，ノイズの原因となるオフフック信号のパルス状の前端部がモデムドライバ（３６）に印加されることはない。
【００３１】
以上，添付図面を参照しながら，本発明の好適な実施形態について説明したが，本発明はかかる例に限定されないことは言うまでもない。当業者であれば，特許請求の範囲に記載された技術的思想の範疇内において，各種の変更例又は修正例に想到することは明らかであり，それらについても当然に本発明の技術的範囲に属するものと了解される。
【００３２】
【発明の効果】
本発明にかかるモデム装置は，上記のように構成されているので，モデムの電源がオンされたり，モデムがリセットされたりした場合に発生するノイズの原因となるパルス状のオフフック信号を効果的に除去することができる。従って，呼び出し電話機と呼び出された電話機とが接続されている間に，電話回線にノイズが混入する事態を効果的に回避することができる。
【００３３】
さらにまた，呼び出し電話機，すなわちリモート端末が，呼び出された電話機，すなわちデータ端末に接続されていない状態で，電話ネットワークを介してリング信号がデータ端末(１３)に印加されてベルが鳴っている間に，呼び出された電話機に接続されたモデムの電源がオンされたり，リセットされたりしても，ノイズの原因となるパルス状の信号が電話回線を通じてリモート端末に印加されることがない。その結果，リモート端末は，ローカル端末のモデムが正常動作している場合でないと，ローカルデータ端末との通信を試みないので，確実な通信接続を行うことができる。
【図面の簡単な説明】
【図１】本発明の原理を適用したモデム装置の概略的なブロック図である。
【図２】図１に示すモデム装置の電話インタフェース部分の詳細回路図である。
【図３】図２に示される電話インタフェース部分の入出力信号の様子を示すタイミング図である。
【図４】図２に示す電話インタフェース部分に適用可能なＮＡＮＤゲートの一例を示す回路図である。
【図５】図２に示す電話インタフェース部分に適用可能なＮＡＮＤゲートの他の例を示す回路図である。
【図６】図２に示す電話インタフェース部分に適用可能なＮＡＮＤゲートのさらに他の例を示す回路図である。
【図７】データ端末と電話回線に接続されたインタフェース装置である従来モデムの概略的なブロック図である。
【図８】図７に示す従来のモデムの電話インタフェース部分を詳細に示す部分回路図である。
【符号の説明】
１０    モデム
１１    リモート端末
１２    電話回線
１３    データ端末
１４    データ端末インタフェース
１５    電話インタフェース
１６    リング検出器
２０    制御器
２２    データポンプ
３４    ＤＡＡ
３５    オフフック信号
３６    モデムドライバ
４０    電話ジャック
５０    ノイズ除去回路
５１    第１インバータ
５２    積分器
５３    第２インバータ
５４    ＯＲゲート
５５    第３インバータ
６０    呼び出された電話機
７０    呼び出し電話機
【図１】
0003979693.tif 000002
【図２】
0003979693.tif 000003
【図３】
0003979693.tif 000004
【図４】
0003979693.tif 000005
【図５】
0003979693.tif 000006
【図６】
0003979693.tif 000007
【図７】
0003979693.tif 000008
【図８】
0003979693.tif 000009